(57)【要約】【課題】個室ボックスへの出入りが周りから見え難く、また目隠し材を有しながら運搬や保管時に嵩張らず、かつ構造が簡単で、比較的低コストで製作することができる仮設トイレを提供する。【解決手段】仮設トイレＴは、内部に便器が設置され一側面３ａに出入口５が設けられた個室ボックス１を有する。この個室ボックス１の一側面３ａに対向して位置し、周りから出入口５を見え難くする立ち姿勢でパネル状の目隠し材２を設ける。立ち姿勢の目隠し材２を支持フレーム７で支持する。支持フレーム７と個室ボックスを連結手段２０で連結する。支持フレーム７は、個室ボックス１に対して一側面３ａから離れる方向に出入り可能であり、目隠し材２を個室ボックス１から離れた使用位置Ｐ１と個室ボックス１に近接した収納位置Ｐ２とに位置切り替え可能である。【選択図】図１
2018062737.tif 000002
【特許請求の範囲】
【請求項１】
内部に便器が設置され一側面に出入口が設けられた個室ボックスと、この個室ボックスの前記一側面に対向して配置され、周りから前記出入口を見え難くする立ち姿勢でパネル状の目隠し材と、この目隠し材を前記立ち姿勢に支持する支持フレームと、この支持フレームを前記個室ボックスに連結する連結手段とを有し、前記支持フレームは、前記個室ボックスに対して前記一側面から離れる方向に出入り可能であり、前記目隠し材を前記個室ボックスから離れた使用位置と前記個室ボックスに近接した収納位置とに位置切り替え可能であることを特徴とする仮設トイレ。
【請求項２】
請求項１に記載の仮設トイレにおいて、前記支持フレームは、一端に前記目隠し材の上端が固定され他端が前記個室ボックスの天面の上側に向けて延ばされていて、前記支持フレームの前記個室ボックスの天面の上側に位置する部分を前記連結手段によって前記個室ボックスに連結する仮設トイレ。
【請求項３】
請求項１または請求項２に記載の仮設トイレにおいて、前記目隠し材の下端に錘材が着脱自在に取り付けられ、この錘材が地面に載置される仮設トイレ。
【発明の詳細な説明】
【技術分野】
【０００１】
この発明は、工事現場、イベント会場等に一時的に設置される仮設トイレに関する。
【背景技術】
【０００２】
近年、土木建築分野への女性の進出が著しく、工事現場で女性が働く機会が多くなっている。その場合に問題となるのがトイレ環境である。工事現場等に設置される従来の仮設トイレは、樹脂製の個室ボックス内に便器等の必要最低限の設備だけが設けられた簡素な構造のものが多く、衛生面や快適性の面で課題があった。また、トイレ設置現場によっては、個室ボックスの出入口が人の行き来する空間に面していることがある。この場合、個室ボックスへの出入りが他人から見られるため、トイレ使用者、特に女性のトイレ使用者は使用に抵抗を感じることが多い。
【０００３】
特許文献１に、中が透けて見えないように個室ボックス（同文献の「ボックストイレ」）の外周に遮蔽パネルを配することが提案されている。また、特許文献２に、美観の向上のために個室ボックス（同文献の「仮設トイレ」）の外周を囲いで囲うことが提案されている。これらの提案において、遮蔽パネルや囲いの一部を、個室ボックスの出入口を周囲から見え難くする目隠し材として機能させている。
【先行技術文献】
【特許文献】
【０００４】
【特許文献１】特開平７−３１７３４１号公報
【特許文献２】特開２００６−７０４５７号公報
【発明の概要】
【発明が解決しようとする課題】
【０００５】
従来の仮設トイレにおいて、個室ボックスへの出入りを他人から見られないようにするためには、出入口が塀等の遮蔽物に面するように仮設トイレを設置するか、または出入口の正面に目隠し用の遮蔽物を設置すればよい。しかし、前者は、トイレ設置現場によっては実現が難しい場合がある。また、後者は、一時的な使用のためだけに遮蔽物を設置するのはコスト面での無駄が多い。
【０００６】
特許文献１、２の提案は、個室ボックスの全体を遮蔽パネルや囲いで覆うため、大掛かりなものとなり、設置コストが高くつく。
【０００７】
この発明の目的は、個室ボックスへの出入りが周りから見え難く、また目隠し材を有しながら運搬や保管時に嵩張らず、かつ構造が簡単で、比較的低コストで製作することができる仮設トイレを提供することである。
【課題を解決するための手段】
【０００８】
この発明の仮設トイレは、内部に便器が設置され一側面に出入口が設けられた個室ボックスと、この個室ボックスの前記一側面に対向して配置され、周りから前記出入口を見え難くする立ち姿勢でパネル状の目隠し材と、この目隠し材を前記立ち姿勢に支持する支持フレームと、この支持フレームを前記個室ボックスに連結する連結手段とを有し、前記支持フレームは、前記個室ボックスに対して前記一側面から離れる方向に出入り可能であり、前記目隠し材を前記個室ボックスから離れた使用位置と前記個室ボックスに近接した収納位置とに位置切り替え可能であることを特徴とする。
【０００９】
この構成によると、目隠し材を使用位置にすることで、個室ボックスと目隠し材との間に空間ができて、出入口の前まで人が行き来可能となる。このとき、立ち姿勢の目隠し材に隠されて出入口が周りから見え難い。「周りから見え難い」とは、出入口の正面側に離れる位置から見え難いということである。このように出入口が周りから見え難いため、周りを気にせずに個室ボックスに出入りすることができる。仮設トイレを保管または運搬するときには、目隠し材を収納位置にすることで、仮設トイレの嵩を減らすことができる。個室ボックスに連結された支持フレームで目隠し材を支持することにより、目隠し材の支持構造を簡易で部材点数の少ない構造とすることができ、目隠し材付きの仮設トイレを低コストで製作することができる。
【００１０】
この発明において、前記支持フレームは、一端に前記目隠し材の上端が固定され他端が前記個室ボックスの天面の上側に向けて延ばされていて、前記支持フレームの前記個室ボックスの天面の上側に位置する部分を前記連結手段によって前記個室ボックスに連結してもよい。
支持フレームが目隠し材の上端の高さに位置しているため、支持フレームの下側を人が自由に通行することができ、個室ボックスへの出入りが容易である。
【００１１】
この発明において、前記目隠し材の下端に錘材が着脱自在に取り付けられ、この錘材が地面に載置されてもよい。
目隠し材の下端に錘材を取り付けることで、目隠し材が安定し、風等によって目隠し材が動くのを防ぐことができる。錘材を使用すると、釘等で目隠し材の下端を地面に固定することが不要である。錘材は着脱自在であるので、保管または運搬するときには目隠し材から錘材を取り外すことができ、仮設トイレの取扱いが容易である。
【発明の効果】
【００１２】
この発明の仮設トイレは、内部に便器が設置され一側面に出入口が設けられた個室ボックスと、この個室ボックスの前記一側面に対向して配置され、周りから前記出入口を見え難くする立ち姿勢でパネル状の目隠し材と、この目隠し材を前記立ち姿勢に支持する支持フレームと、この支持フレームを前記個室ボックスに連結する連結手段とを有し、前記支持フレームは、前記個室ボックスに対して前記一側面から離れる方向に出入り可能であり、前記目隠し材を前記個室ボックスから離れた使用位置と前記個室ボックスに近接した収納位置とに位置切り替え可能であるため、個室ボックスへの出入りが周りから見え難く、また目隠し材を有しながら運搬や保管時に嵩張らず、かつ構造が簡単で、比較的低コストで製作することができる。
【図面の簡単な説明】
【００１３】
【図１】この発明の一実施形態に係る仮設トイレの斜視図である。
【図２】同仮設トイレの側面図である。
【図３】（Ａ）は同仮設トイレの目隠し材の正面図、（Ｂ）はその側面図である。
【図４】（Ａ）は同仮設トイレの支持フレームの平面図、（Ｂ）はその側面図である。
【図５】図１のＶ部拡大図である。
【図６】同仮設トイレにおける連結手段の係止金具の斜視図である。
【図７】同仮設トイレを複数並べて配置したトイレ設備の平面図である。
【図８】同仮設トイレの個室ボックスの内部を示す説明図である。
【図９】同個室ボックスの内部を図８とは異なる方向から見た説明図である。
【発明を実施するための形態】
【００１４】
この発明の一実施形態を図面と共に説明する。
図１はこの発明に係る仮設トイレの斜視図、図２はその側面図である。この仮設トイレＴは、個室ボックス１と目隠し材２とを備える。
【００１５】
個室ボックス１は、アルミ複合板または樹脂材により形成され外形が略直方体の筐体３を有し、この筐体３の内部に便器４（図２）が設置され、筐体３の一側面３ａに出入口５（図１）が設けられている。出入口５にはドアが取り付けられている。出入口５の正面側の下方には、出入口５と地面との高低差を少なくするためのステップ６が設けられている。ステップ６は、例えば個室ボックス１に対して着脱可能である。ステップ６は無くてもよい。
【００１６】
前記目隠し材２は、個室ボックス１の出入口５を周りから見え難くするためのものである。目隠し材２は、全体の形状としてはパネル状で、支持フレーム７により立ち姿勢で支持されている。支持フレーム７は、一端に目隠し材２の上端が固定され他端が個室ボックス１の天面３ｂの上側に向けて延ばされていて、個室ボックス１に対して前記一側面３ａから離れる方向に出入り可能である。
【００１７】
個室ボックス１に対する支持フレーム７の出入り長さを変更することにより、目隠し材２を、図２に実線で示す使用位置Ｐ１と、鎖線で示す収納位置Ｐ２とに位置切り替え可能である。使用位置Ｐ１は個室ボックス１から離れた位置であり、収納位置Ｐ２は個室ボックス１に近接した位置である。
【００１８】
図３に示すように、目隠し材２は、互いに並列な２本の縦フレーム材１１間に複数本の横フレーム材１２を架け渡して目隠し材フレーム１３が構成され、この目隠し材フレーム１３の表裏両面に目隠しパネル１４が貼り付けられている。目隠し材フレーム１３の表面だけ、または裏面だけに目隠しパネル１４が貼り付けられていてもよい。縦フレーム材１１および横フレーム材１２は、例えばアルミ型材または角形鋼管からなる。目隠しパネル１４は、例えばアルミ樹脂合板からなり、ビス等によって縦フレーム材１１および横フレーム材１２に貼り付けられる。
図１の例では、目隠しパネル１４が上下に２分割されているが、目隠しパネル１４は上下に続く一体物であってもよい。その場合、目隠し材フレーム１３の上下中央部に設けられる横フレーム材１２の本数が１本でよい。
【００１９】
２本の縦フレーム材１１の下部に、それぞれ延長縦フレーム材１５が設けられている。延長縦フレーム材１５は、縦フレーム材１１に下方から挿入され、ボルト１６およびナット１７によって、縦フレーム材１１に結合される。延長縦フレーム材１５に設けられた複数のボルト挿通孔（図示せず）のうち適正高さのボルト挿通孔を選択してボルト１６を挿通することにより、縦フレーム材１１に対する延長縦フレーム材１５の突出長さを調整することができる。
【００２０】
各延長縦フレーム材１５の下端には、この延長縦フレーム材１５の水平断面形状よりも平面形状が大きい足元プレート１８が固定されている。足元プレート１８は例えば鋼板からなり、溶接等によって延長縦フレーム材１５に固定される。足元プレート１８には複数のボルト挿通孔（図示せず）が設けられ、これらボルト挿通孔に挿通したボルト１９によって、地面または錘材８（図１、図２）に固定される。錘材８としては、例えばプラスチック材等からなる中空容器に水等を充填する形態の市販のものを用いることができる。
【００２１】
図４に示すように、前記支持フレーム７は、互いに並列な２本の主フレーム材２１間に２本の桟材２２を架け渡して構成され、各主フレーム材２１の正面側端が目隠し材２の各縦フレーム材１１の上端にそれぞれ結合されている。主フレーム材２１と縦フレーム材１１との結合は溶接等により行われる。主フレーム材２１および桟材２２の内側には平面形状が長方形の内枠２３が設けられ、この内枠２３の上に屋根パネル２４が取り付けられる。屋根パネル２４は、例えば透明または半透明の樹脂材等からなる板材である。屋根パネル２４は、透明または半透明でなくてもよい。さらに、場合によっては、屋根パネル２４が無くてもよい。
【００２２】
図５に示すように、支持フレーム７は、連結手段２５によって個室ボックス１に連結される。連結手段２５は、係止金具２６と被係止金具２７とボルト２８とからなる。係止金具２６は、個室ボックス１の天面３ｂにおける正面側の角部に設けられている。この実施形態では、係止金具２６としてアイナットが使用されている。図６に示すように、被係止金具２７は段付きの形状であって、段の上側部分２７ａにボルト挿通孔３０が設けられ、段の下側部分２７ｂに平面視でＵ字状の切欠き３１が設けられている。ボルト挿通孔３０は、支持フレーム７の出入り方向に長い長孔である。
【００２３】
支持フレーム７を個室ボックス１に連結するにあたっては、目隠し材２が使用位置Ｐ１（図２参照）または収納位置Ｐ２（図２参照）に位置するように、個室ボックス１に対する支持フレーム７の出入り長さを決める。次に、被係止金具２７の上側部分２７ａが主フレーム材２１に被さる状態で、切欠き３１に係止金具２６を係止させる。そして、被係止金具２７のボルト挿通孔３０にボルト２８を挿通し、そのボルト２８を主フレーム材２１に設けられたねじ孔（図示せず）にねじ込む。ボルト挿通孔３０は長孔であるため、個室ボックス１に対する支持フレーム７の相対位置を微調整することができる。また、ボルト挿通孔３０を通して主フレーム材２１のねじ孔の位置を目視で確認しながらボルト２８をねじ込むことができ、ボルト２８のねじ込み作業が容易である。
【００２４】
なお、係止金具２６をアイナットとしたのは、アイナットである係止金具２６のリング部２６ａをクレーンのワイヤに接続して、個室ボックス１の吊り上げに利用するためである。図１、図２に示すように、個室ボックス１の天面３ｂにおける正面側の角部には、個室ボックス１の吊り上げに用いられる別のアイナットからなる吊上げ用金具３２が設けられている。
【００２５】
この構成の仮設トイレＴは、個室ボックス１に対する支持フレーム７の出入り長さを変更することにより、目隠し材２を使用位置Ｐ１と収納位置Ｐ２とに位置切り替えする。
【００２６】
目隠し材２が使用位置Ｐ１にある状態では、個室ボックス１と目隠し材２との間に空間ができて、出入口５の前まで人が行き来可能となる。支持フレーム７が目隠し材２の上端の高さに位置しているため、支持フレーム７が邪魔にならず、支持フレーム７の下側を人が自由に通行することができ、個室ボックス１への出入りが容易である。
【００２７】
目隠し材２が使用位置Ｐ１にあるとき、立ち姿勢の目隠し材２に隠されて出入口５が周りから見え難い。このため、周りを気にせずに個室ボックス１に出入りすることができる。また、個室ボックス１と目隠し材２との間の空間の上方に屋根パネル２４が設けられているので、雨の日でも濡れずに済む。屋根パネル２４が透明または半透明である場合、昼間の時間帯では前記空間が明るく保たれる。
【００２８】
仮設トイレＴを保管または運搬するときには、目隠し材２が収納位置Ｐ２となるように連結手段２５で目隠し材２を個室ボックス１に連結する。目隠し材２を収納位置Ｐ２にすることで、仮設トイレＴの嵩を減らすことができ、保管または運搬の効率が向上する。
【００２９】
工場内での仮設トイレＴの運搬には、フォークリフトが使用される。その際、個室ボックス１の下側に形成された隙間３３（図２）にフォークリフトのフォークが差し込まれ、個室ボックス１の下部枠組み３４を下から持ち上げる。なお、前記下部枠組み３４は、平面形状が方形に組まれたＨ形鋼３５と角形鋼管３６とからなる。
また、仮設トイレＴの据付けおよび撤去には、クレーンが使用される。その際、それぞれアイナットからなる係止金具２６および吊上げ用金具３２の各リング部にクレーンのワイヤを接続して行う。
【００３０】
図１、図２のように目隠し材２の下端に錘材８を取り付けることで、目隠し材２が安定し、風等によって目隠し材２が動くのを防ぐことができる。錘材８を使用すると、釘等で目隠し材２の下端を地面に固定することが不要である。錘材８は着脱自在であるので、保管または運搬するときには目隠し材２から錘材８を取り外すことができる。このため、仮設トイレＴの取扱いが容易である。
【００３１】
この仮設トイレＴは、個室ボックス１に連結された支持フレーム７で目隠し材２を支持することにより、目隠し材２の支持構造を簡易で部材点数の少ない構造とすることができ、目隠し材１を有しながら低コストで製作することができる。また、連結手段２５が係止金具２６と被係止金具２７とボルト２８とからなる簡易な構成であることも、仮設トイレＴの低コスト化に寄与している。
【００３２】
この発明の仮設トイレＴは、図１、図２のように一つだけ設置してもよいが、図７に示すように複数並べて設置してもよい。複数並べて設置する場合、個室ボックス１と目隠し材２との間の空間が、奥に位置する仮設トイレＴの個室ボックス１まで行くための通路となる。この通路の一方端は、開口したままでもよいが、図７のように遮蔽パネル３７で塞いでもよい。また、通路の入口となる他方端は、開口したままでもよいが、図７のようにカーテン等のような開閉自在な仕切り材３８を取り付けてもよい。隣り合う二つの目隠し材２，２間に隙間が生じないように、目隠しパネル１４の幅を個室ボックス１の幅と同じか、または少し広くしておくのが望ましい。遮蔽パネル３７および仕切り材３８は無くてもよい。
【００３３】
個室ボックス１の内部の一例を図８および図９に示す。図８、図９は筐体３の壁面の一部を省略して表した図であり、互いに異なる方向から室内を見ている。省略された壁面に隣接して存在する器材は省略されている。また、図８、図９は、目隠し材２の下端の足元プレート１８を地面に直接固定した例を示している。
【００３４】
室内における出入口４に対して奥側の幅方向中央部に、前記便器４が設置されている。図８に示すように、便器４を使用する人から見て右側の壁際に、手洗い設備４１が設置されている。また、右側の壁には、姿見用の鏡４２が設けられている。図９に示すように、左側の壁には、トイレットペーバー取付具４３、および自動洗浄式である便器４の操作盤４４が設けられている。また、左側の壁際に、折りたたみ式のフィッティング台４５が設けられている。さらに、便器４の背面側の壁には、明かり取り用の窓４６が設けられている。この窓４６は、外部から室内が見えないように工夫されているのは勿論、出窓部分に観葉植物等を載置することができるようになっている。
【００３５】
上記のように個室ボックス１の内部を構成することにより、快適性が向上し、女性でも安心して使用することができる。このような快適性の良い仮設トイレを、例えば工事現場に設置することにより、工事現場における女性作業者のトイレ問題を解消することができる。
【００３６】
但し、図８、図９に示す内部構成は単なる一例にすぎない。この発明は、個室ボックス１の内部構成が図８、図９とは異なる仮設トイレにも適用できる。
【００３７】
以上、実施形態に基づいてこの発明を実施するための形態を説明したが、今回開示された実施の形態はすべての点で例示であって制限的なものではない。この発明の範囲は上記した説明ではなくて特許請求の範囲によって示され、特許請求の範囲と均等の意味および範囲内でのすべての変更が含まれることが意図される。
【符号の説明】
【００３８】
１…個室ボックス
２…目隠し材
３ａ…一側面
３ｂ…天面
４…便器
５…出入口
７…支持フレーム
８…錘材
２５…連結手段
Ｐ１…使用位置
Ｐ２…収納位置
Ｔ…仮設トイレ
【図１】
2018062737.tif 000003
【図２】
2018062737.tif 000004
【図３】
2018062737.tif 000005
【図４】
2018062737.tif 000006
【図５】
2018062737.tif 000007
【図６】
2018062737.tif 000008
【図７】
2018062737.tif 000009
【図８】
2018062737.tif 000010
【図９】
2018062737.tif 000011